(57)【要約】【課題】電子機器の筐体に設けられるバッテリー収容室と、電子機器の筐体に開放状に設けられるバッテリー装着部との双方に装着可能で、かつ、小型化、薄型化を図る上で有利なバッテリーを提供する。【解決手段】第１のバッテリー２は中空で扁平な直方体を呈するケース１０と、ケース１０の内部に収容された電池セル２０と、ケース１０に設けられたコネクタ部３０とを備えている。ケース１０は、上面１０Ｃおよび下面１０Ｄと、左右の側面１０Ｅ、１０Ｆと、前面１０Ａおよび後面１０Ｂとを有し、矩形板状を呈し中空に形成されている。ケース１０の左右の側面１０Ｅ、１０Ｆの厚さ方向の中間部に、幅方向外方に突出しつつ上面１０Ｃおよび下面１０Ｄに平行して前後方向に延在する係合壁１２がそれぞれ設けられている。左右の係合壁１２には切り欠き１４がそれぞれ設けられている。【選択図】        図１
2006302693.tif 000002
【特許請求の範囲】
【請求項１】
厚さ方向の両端に位置する上面および下面と、幅方向の両端に位置する左右の側面と、前後方向の両端に位置する前面および後面とを有する矩形板状の中空のケースと、
前記ケースの内部に収容された電池セルと、
前記前面に設けられ前記電池セルに接続されたコネクタ部とを備え、
前記ケースの左右の側面の前記厚さ方向の中間部に、前記幅方向外方に突出しつつ前記上面及び下面に平行して前記前後方向に延在する係合壁が設けられ、
前記左右の係合壁に切り欠きがそれぞれ設けられている、
ことを特徴とするバッテリー。
【請求項２】
前記左右の係合壁は、前記ケースの左右の側面の前記厚さ方向において同一の箇所に設けられていることを特徴とする請求項１記載のバッテリー。
【請求項３】
前記左右の係合壁の前記厚さ方向における肉厚は同一で前記前後方向に沿って均一であることを特徴とする請求項１記載のバッテリー。
【請求項４】
前記左右の係合壁は、前記左右の側面の前記厚さ方向および前記前後方向において同一の箇所で同一の形状で形成されている特徴とする請求項１記載のバッテリー。
【請求項５】
前記左右の係合壁に設けられた切り欠きは、前記左右の係合壁の前記前後方向において同一の箇所に設けられていることを特徴とする請求項１記載のバッテリー。
【請求項６】
前記左右の係合壁に設けられた切り欠きは、前記左右の係合壁の前記前後方向において同一の箇所に同一の形状で設けられていることを特徴とする請求項１記載のバッテリー。
【請求項７】
前記左右の係合壁に設けられた切り欠きは、前記前後方向に間隔をおいて複数設けられ、前記各切り欠きは、前記左右の係合壁の前記前後方向において同一の箇所に設けられていることを特徴とする請求項１記載のバッテリー。
【請求項８】
前記左右の係合壁に設けられた切り欠きは、前記前後方向に間隔をおいて複数設けられ、前記各切り欠きは、前記左右の係合壁の前記前後方向において同一の箇所に同一の形状で設けられていることを特徴とする請求項１記載のバッテリー。
【請求項９】
前記左右の係合壁の後端に、前記厚さ方向に延在する逆挿防止用の係止壁が設けられていることを特徴とする請求項１記載のバッテリー。
【請求項１０】
前記左右の係合壁の前記前後方向において同一の箇所である後端に、前記厚さ方向に延在する逆挿防止用の係止壁が同一の形状で設けられていることを特徴とする請求項１記載のバッテリー。
【請求項１１】
前記電池セルの断面は、前記ケースの内部に収容される大きさの矩形を呈していることを特徴とする請求項１記載のバッテリー。
【発明の詳細な説明】
【技術分野】
【０００１】
本発明はバッテリーに関する。
【背景技術】
【０００２】
電子機器に装着されるバッテリーは、ケースと、ケースの内部に収容された電池セルと、ケースに設けられ電池セルに接続されたコネクタ部とを備えている。
このようなバッテリーは、多くの場合、電子機器の筐体に設けられた開口から筐体内部のバッテリー収容室に挿入して収容することで前記バッテリー側のコネクタ部が前記バッテリー収容室の電子機器側のコネクタ部に接続されるように構成されている。
一方、上記のバッテリー収容室に収容可能で、かつ、電子機器の筐体外面に開放状に設けられたバッテリー装着部にも装着可能なバッテリーが提案されている（特許文献１）。
このバッテリーでは、ケースの側面に内方に窪む複数の係合凹部を設け、前記係合凹部を、上記のバッテリー収容部に設けられた複数の係合凸部にそれぞれ係合させることでバッテリー装着部に装着されるように構成されている。
従来、バッテリーではそのケース内部に、複数の円柱状の電池セルがその長手方向を平行させて配設されていることから、隣り合う電池セルの外周面とケース内面の間にデッドスペースが生じており、上述の係合凹部を用いたバッテリーでは、このデッドスペースに前記係合凹部を配置し、デッドスペースを有効利用している。
【特許文献１】特開平８−２９８１０４号公報
【発明の開示】
【発明が解決しようとする課題】
【０００３】
ところが、近年、電子機器の薄型化、小型化を図るため、矩形板状を呈するバッテリーが採用されることが多くなってきており、このようなバッテリーは、電池セルとケースの双方が矩形板状を呈し、ケース内に収容された電池セルの外面とケースの内面との間にデッドスペースがほとんど形成されない形態となっている。
したがって、このようなバッテリーでは、ケースの内面と電池セルの外面との間に前記係合凹部用のスペースを確保すると、ケースが極めて大型化してしまい、バッテリーの小型化、薄型化を図る上で不利がある。
本発明はこのような事情に鑑みなされたものであり、その目的は、電子機器の筐体に設けられるバッテリー収容室と、電子機器の筐体に開放状に設けられるバッテリー装着部との双方に装着可能で、かつ、小型化、薄型化を図る上で有利なバッテリーを提供することにある。
【課題を解決するための手段】
【０００４】
上述の目的を達成するため、本発明のバッテリーは、厚さ方向の両端に位置する上面および下面と、幅方向の両端に位置する左右の側面と、前後方向の両端に位置する前面および後面とを有する矩形板状の中空のケースと、前記ケースの内部に収容された電池セルと、前記前面に設けられ前記電池セルに接続されたコネクタ部とを備え、前記ケースの左右の側面の前記厚さ方向の中間部に、前記幅方向外方に突出しつつ前記上面及び下面に平行して前記前後方向に延在する係合壁が設けられ、前記左右の係合壁に切り欠きがそれぞれ設けられていることを特徴とする。
【発明の効果】
【０００５】
本発明のバッテリーによれば、ケースの左右の側面におけるケースの厚さ方向の中間部に係合壁を設けるとともに、左右の係合壁に切り欠きをそれぞれ設けたので、係合壁と切り欠きを利用することで、厚さの異なるバッテリーを、バッテリー収容室とバッテリー装着部の双方に装着することができる。
また、従来と異なりケースに内方に窪む係合凹部を必要としないため、ケース内においてケースの内面と電池セルとの間に設けられていた従来のスペースを省略でき、ケースの小型化、薄型化を図る上で有利となる。
【発明を実施するための最良の形態】
【０００６】
（第１の実施の形態）
次に本発明の第１の実施の形態について図面を参照して説明する。
図１（Ａ）は第１の実施の形態で用いる第１のバッテリー２の斜視図、（Ｂ）は（Ａ）の第１のバッテリー２を矢印Ｂ方向から見た斜視図である。
図２（Ａ）は第１の実施の形態で用いる第２のバッテリー４の斜視図、（Ｂ）は（Ａ）の第２のバッテリー４を矢印Ｂ方向から見た斜視図である。
【０００７】
図１に示すように、第１のバッテリー２は電源が小容量のものであり、中空で扁平な矩形板状を呈するケース１０と、ケース１０の内部に収容された二点鎖線で示す矩形板状の電池セル２０と、ケース１０に設けられたコネクタ部３０とを備えている。
ケース１０は、厚さ方向の両端に位置する上面１０Ｃおよび下面１０Ｄと、幅方向の両端に位置する左右の側面１０Ｅ、１０Ｆと、前後方向の両端に位置する前面１０Ａおよび後面１０Ｂとを有している。なお、説明の便宜上、ケース１０の左右方向はケース１０の前方から見た状態でいうものとする。
【０００８】
ケース１０の左右の側面１０Ｅ、１０Ｆの厚さ方向の中間部に、幅方向外方に突出しつつ上面１０Ｃおよび下面１０Ｄに平行して前後方向に延在する係合壁１２がそれぞれ設けられている。
本実施の形態では、厚さ方向における係合壁１２の位置は下面１０Ｄを基準として決定され、左右の側面１０Ｅ、１０Ｆの各係合壁１２は、下面１０Ｄから同一の高さで形成されている。
左右の係合壁１２の厚さ方向における肉厚は同一で前後方向に沿って均一である。
すなわち、左右の係合壁１２は、左右の側面１０Ｅ、１０Ｆの厚さ方向および前後方向において同一の箇所で同一の形状で形成されている。
左右の係合壁１２には切り欠き１４がそれぞれ設けられている。
本実施の形態では、切り欠き１４は、前後方向に間隔をおいて２つ設けられ、各切り欠き１４は、前後方向において左右の係合壁１２の同一の箇所に同一の形状で設けられている。
また、左右の係合壁１２の前後方向において同一の箇所である後端に、厚さ方向に延在する逆挿防止用の係止壁１６が同一の形状で設けられている。
本実施の形態では、係止壁１６は係合壁１２の後端に接続され係合壁１２の延在方向と直交して下面１０Ｄ方向に延在している。
この係止壁１６は、バッテリー１０の後面１０Ｂを電子機器のバッテリー収容室４０（図３参照）に挿入できないようにしたものである。
【０００９】
電池セル２０は、ケース１０よりも一回り小さい矩形板状を呈し、言い換えると、電池セル２０の断面は、ケース１０の内部に収容される大きさの矩形を呈している。
電池セル２０は、厚さ方向の両端に位置する上面および下面と、幅方向の両端に位置する左右の側面と、前後方向の両端に位置する前面および後面とを有し、これら上面、下面、左右の側面、前面、後面のそれぞれが、ケース１０の上面１０Ｃ、下面１０Ｄ、左右の側面１０Ｅ、１０Ｆ、前面１０Ａ、後面１０Ｂのそれぞれに平行して対面するようにケース１０の内部に収容されている。
【００１０】
コネクタ部３０は、ケース１０の前面１０Ａに前方に臨んで設けられている。
本実施の形態ではコネクタ部３０は、前面１０Ａの幅方向の中央よりもやや左側の端部寄りの箇所に幅方向に等間隔をおいて３つ設けられた接片３００２で構成され、これら３つの接片３００２は前面１０Ａに設けられた開口を介して前方に露出するように構成されている。
前面１０Ａの厚さ方向におけるコネクタ部３０の位置は下面１０Ｄを基準として決定されている。
３つの接片３００２のうち２つの接片３００２は電池セル２０の正極、負極に電気的に接続され、残りの１つの接片３００２は、ケース１０内に収容された不図示の制御回路のデータ通信用端子に電気的に接続されている。
前記制御回路は、ケース１０の内部に設けられており、前記データ通信用の接片３００２を介して電子機器側の制御部との間でバッテリー２の特性や識別情報などのデータを送受信したり、電池セル２０の出力電圧や出力電流などを監視する機能を有している。
【００１１】
次に、第２のバッテリー４について説明する。
図２（Ｂ）に示すように、第２のバッテリー４は電源が大容量のものであり、第２のバッテリー４が第１のバッテリー２と異なるのは、バッテリーの厚さ方向の寸法であり、その他の構成は第１のバッテリー２と同様である。
図２（Ａ）、（Ｂ）に示すように、第１のバッテリー２のバッテリーケース１０と、第２のバッテリー４のケース１０とは、幅と長さが等しく形成され、かつ、厚さが第１のバッテリー２のケース１０よりも第２のバッテリー４のケース１０が大きく形成されている。
第２のバッテリー４に設けられたコネクタ部３０と第１のバッテリー２に設けられたコネクタ部３０は、同一の形状、構造で形成されている。
第２のバッテリー４のコネクタ部３０の厚さ方向における位置は、第１のバッテリー２と同様に、下面１０Ｄを基準として第１のバッテリー２と同一の寸法で決定されている。なお、第２のバッテリー４のコネクタ部３０の幅方向における位置も第１のバッテリー２のコネクタ部３０と同一である。
また、第１のバッテリー２と同様に、２つの側面１０Ｅ、１０Ｆの厚さ方向の中間部に、幅方向外方に突出しつつ上面１０Ｃおよび下面Ｄに平行して前後方向に延在する係合壁１２がそれぞれ設けられ、係合壁１２は、側面１０Ｅの厚さ方向の中心部に対して下面１０Ｄ寄りの各側面１０Ｅ箇所に設けられている。
また、左右の係合壁１２には、第１のバッテリー２と同様に、切り欠き１４がそれぞれ設けられている。
また、係合壁１２の後端には、第１のバッテリー２と同様に、厚さ方向に延在する逆挿防止用の係止壁１６が設けられている。
第２のバッテリー４の係合壁１２の厚さ方向における位置は、第１のバッテリー２と同様に、下面１０Ｄを基準として第１のバッテリー２と同一の寸法で決定され、第１のバッテリー２と第２のバッテリー４とは、それらの係合壁１２、切り欠き１４、係止壁１６が同一の形状であり、また、下面１０Ｄから同一の高さでかつ前後方向において同一の箇所に設けられている。
【００１２】
次に、第１、第２のバッテリー２、４が装着されるバッテリー収容室４０について図３、図４、図５を参照して説明する。
図３はバッテリー収容室４０の斜視図、図４はバッテリー収容室４０の断面図、図５（Ａ）は第１のバッテリー２がバッテリー収容室４０に収容された状態を示す図、（Ｂ）は第２のバッテリー４がバッテリー収容室４０に収容された状態を示す図である。
図３に示すように、バッテリー収容室４０は電子機器の筐体１０２に設けられるものであり、バッテリー収容室４０は筐体の外方に臨む開口４２を有している。
図４、図５（Ｂ）に示すように、バッテリー収容室４０は、第２のバッテリー４を収容できる大きさの空間を画成する前面４０Ａ、上面４０Ｃ、下面４０Ｄ、左右の側面４０Ｅ、４０Ｆを有している。
左右の側面４０Ｅ、４０Ｆの下面４０Ｄ寄りの箇所には、第１、第２のバッテリー２、４が挿入される方向に沿って延在し第１、第２のバッテリー２、４の左右の側面１０Ｅ、１０Ｆの係合壁１２が係合可能な係合溝４６が設けられている。
また、開口４２に臨む左右の側面４０Ｅ、４０Ｆ箇所には、左右の係止壁１６を収容するための凹部４２０２が形成されている。
また、前面４０Ａには、第１、第２のバッテリー２、４がそれらの係合壁１２がバッテリー収容室４０の係合溝４８に係合されてバッテリー収容室４０に収容された状態で、第１、第２のバッテリー２、４のコネクタ部３０に接続される電子機器側コネクタ部４８が設けられている。
電子機器側コネクタ部４８は、前面４０Ａの左右方向に間隔をおいて並べられた複数の接片４８０２を備え、複数の接片４８０２は第１、第２のバッテリー２、４のコネクタ部３０の複数の接片３００２に接触可能である。
なお、係合溝４６、電子機器側コネクタ４８などの上面４０Ｃと下面４０Ｄとを結ぶ方向における位置は下面４０Ｄを基準として設けられている。
【００１３】
バッテリー収容室４０は、開口４２から第１のバッテリー２が前面１０Ａを前方に向け、係合壁１２が係合溝４６に係合されその長さ方向（前後方向）に挿入され、係止壁１６が凹部４２０２に収容されることで、前面４０Ａ、下面４０Ｄ、左右の側面４０Ｅ、４０Ｆが、第１のバッテリー２のケース１０の前面１０Ａ、下面１０Ｄ、左右の側面１０Ｅにそれぞれ臨み、かつ、図５（Ａ）に示すように、バッテリー収容室４０の上面４０Ｃと第１のバッテリー２の上面１０Ｃとの間に、第１のバッテリー２と第２のバッテリー４との厚さの差異に対応した空間が確保されるように構成されている。
また、バッテリー収容室４０は、開口４２から第２のバッテリー４が前面１０Ａを前方に向け、係合壁１２が係合溝４６に係合されその長さ方向（前後方向）に挿入され、係止壁１６が凹部４２０２に収容されることで、図５（Ｂ）に示すように、前面４０Ａ、上面４０Ｃ、下面４０Ｄ、左右の側面４０Ｅ、４０Ｆが、第２のバッテリー４のケース１０の前面１０Ａ、上面１０Ｃ、下面１０Ｄ、左右の側面１０Ｅにそれぞれ臨むように構成されている。
開口４２には、開閉蓋４４が開閉可能に設けられ、閉塞した状態を保持するロック機構が設けられている。バッテリー収容室４０に第１、第２のバッテリー２、４が収容された状態で開閉蓋４４を閉じロックすることで、開閉蓋４４が後面１０Ｂに当接して第１、第２のバッテリー２、４の収容状態が保持される。
【００１４】
次にバッテリーのバッテリー収容室４０への収容および取り出しについて説明する。
第１のバッテリー２をバッテリー収容室４０に収容する際には、開閉蓋４４を開放し、第１のバッテリー２のケース１０の下面１０Ｄ、左右の側面１０Ｅのそれぞれをバッテリー収容室４０の下面４０Ｄ、左右の側面４０Ｅ、４０Ｆのそれぞれに臨ませ、第１のバッテリー２の係合壁１２をバッテリー収容室４０の係合溝４６に挿入して押し込み、係止壁１６を凹部４２０２に収容する。
これにより、コネクタ部３０の接片３００２と電子機器側コネクタ部４８の接片４８０２とが接触して電子機器側コネクタ部４８にコネクタ部３０が装着される。
次いで、開閉蓋４４を閉塞してロックする。
これにより、第１のバッテリー２からの直流電源が電子機器の各部に供給される。
第１のバッテリー２を取り外す際には、開閉蓋４４のロックを解除して開放し、第１のバッテリー２の後部を把持してバッテリー収容室４０から抜き出す。
【００１５】
また、第２のバッテリー４を収容する際には、第１のバッテリー２を収容する場合と同様に、開閉蓋４４を開放し、第２のバッテリー４のケース１０の上面１０Ｃ、下面１０Ｄ、左右の側面１０Ｅのそれぞれをバッテリー収容室４０の上面５２０２、下面５２０４、左右の側面５２０６のそれぞれに臨ませ、第２のバッテリー４の係合壁１２をバッテリー収容室４０の係合溝４６に挿入して押し込み、係止壁１６を凹部４２０２に収容する。
これにより、コネクタ部３０の接片３００２と電子機器側コネクタ部４８の接片４８０２とが接触して電子機器側コネクタ部４８にコネクタ部３０が装着される。
次いで、開閉蓋４４を閉塞する。
これにより、第２のバッテリー４からの直流電源が電子機器の各部に供給される。
第２のバッテリー４を取り外す際には、開閉蓋４４のロックを解除して開放し、第２のバッテリー４の後部を把持してバッテリー収容室４０から抜き出す。
【００１６】
次に、第１、第２のバッテリー２、４が装着されるバッテリー装着部５０について図６、図７を参照して説明する。
図６はバッテリー装着部の斜視図である。
図７（Ａ）は第１のバッテリー２がバッテリー装着部５０に装着された状態を示す図、（Ｂ）は第２のバッテリー４がバッテリー装着部５０に装着された状態を示す図である。
図６に示すように、バッテリー装着部５０は電子機器の筐体１０２に開放状に設けられるものである。
バッテリー装着部５０は、電子機器の筐体１０２に対して内方に窪む収容凹部５２を備えている。
収容凹部５２は、第１のバッテリー２の下半部が収容される大きさ、深さで、また、第２のバッテリー４の下部が収容される大きさ、深さで形成されている。
収容凹部５２は、ケース１０の前面１０Ａ、下面１０Ｄ、左右の側面１０Ｅ、１０Ｆにそれぞれ臨む前面５２Ａ、下面５２Ｄ、左右の側面５２Ｅ、５２Ｆを有し、上方と後方が開放されている。
左右の側面５２Ｅ、５２Ｆに連なる上面１０４には、切り欠き１４内を通過できる輪郭の係合部５４が前後方向に間隔をおいて２つずつ突設され、左右の上面１０４の係合部５４は前後方向において同一の箇所に設けられている。
各係合部５４は、収容凹部５２に臨む箇所と後方に臨む箇所とが開放された係合溝５６で形成され、左右の係合部５４を構成する係合溝５６は左右対称な形状で形成され、この係合溝５６は、切り欠き１４に臨む係合壁１２の部分が挿入されるように係合壁１２の肉厚よりも大きな寸法で形成されている。
左右の側面５２Ｅ、５２Ｆの後部には、係止壁１６を収容するための切り欠き５２０２が上方および後方に開放状に形成されている。
電子機器側コネクタ部５８は前面５２Ａに設けられ、電子機器側コネクタ部５８は前面５２Ａの左右方向に間隔をおいて並べられた複数の接片５８０２を備え、複数の接片５８０２は第１、第２のバッテリー２、４のコネクタ部３０の複数の接片３００２に接触可能である。
第１、第２のバッテリー２、４がそれらの係合壁１２を左右の上面１０４に臨ませ、係合壁１２の切り欠き１４内に係合部５４を通過させて第１、第２のバッテリー２、４を収容凹部５２に近づけると、左右の係合壁１２が左右の上面１０４に載置される。ここで、第１、第２のバッテリー２、４を前面５２Ａ方向に移動させると、切り欠き１４に臨む係合壁１２の部分が係合溝５６に係合され、この状態で第１、第２のバッテリー２、４のコネクタ部３０と電子機器側コネクタ部５８が接続される。
なお、上面１０４、電子機器側コネクタ５８などの収容凹部５２における深さ方向における位置は下面５２Ｄを基準として設けられている。
収容凹部５２の後端には、収容されたバッテリーを保持するための係止爪６０が出没可能に設けられ、係止爪６０はスプリングにより常時突出する方向に付勢されている。
【００１７】
次にバッテリーのバッテリー装着部５０への装着および取り出しについて説明する。
第１のバッテリー２をバッテリー装着部５０に装着する際には、バッテリー装着部５０の上方において、第１のバッテリー２のケース１０の前面１０Ａ、下面１０Ｄ、左右の側面１０Ｅのそれぞれを収容凹部５２の前面５２Ａ、下面５２Ｄ、左右の側面５２Ｅ、５２Ｆのそれぞれに臨ませつつ、第１のバッテリー２の係合壁１２の各切り欠き１４を各係合部５４に合致させる。
そして、各切り欠き１４内に各係合部５４を通過させて第１のバッテリー２を下面５２Ｄ方向に移動すると、左右の係合壁１２が左右の上面１０４に載置され、第１のバッテリー２の下半部が収容凹部５２に収容される。この際、係止爪６０は第１のバッテリー２の下面５２Ｄに当て付けられることで下方に押し下げられる。
この状態で、第１のバッテリー２を前面５２Ａ方向に移動すると、各係合溝５６に、切り欠き１４に臨む係合壁１２の部分が係合され、コネクタ部３０の接片３００２と電子機器側コネクタ部５８の接片５８０２とが接触する。
この際、係止爪６０が下面５２Ｄから離れることで係止爪６０が上方に突出して第１のバッテリー２の後面５２Ｂに係合し、第１のバッテリー２がバッテリー装着部５０に装着される。
これにより、第１のバッテリー２からの直流電源が電子機器の各部に供給される。
第１のバッテリー２を取り外す際には、係止爪６０を押し下げて第１のバッテリー２の後面１０Ｂから外した状態で、第１のバッテリー２を後方に移動させることで、第１のバッテリー２の係合壁１２の各切り欠き１４内に各係合部５４を位置させる。
次いで、第１のバッテリー２の後部を把持して収容凹部５２から上方に取り出す。
【００１８】
また、第２のバッテリー４を装着する場合には、第１のバッテリー２を装着する場合と同様に、バッテリー装着部５０の上方において、第２のバッテリー４のケース１０の前面１０Ａ、下面１０Ｄ、左右の側面１０Ｅのそれぞれを収容凹部５２の前面５２Ａ、下面５２Ｄ、左右の側面５２Ｅ、５２Ｆのそれぞれに臨ませつつ、第２のバッテリー４の係合壁１２の各切り欠き１４を各係合部５４に合致させる。
そして、各係合部５４を各切り欠き１４内に通過させて第２のバッテリー４を下面５２Ｄ方向に移動すると、左右の係合壁１２が左右の上面１０４に載置され、第２のバッテリー４の下部が収容凹部５２に収容される。この際、係止爪６０は第２のバッテリー４の下面５２Ｄに当て付けられることで下方に押し下げられる。
この状態で、第２のバッテリー４を前面５２Ａ方向に移動すると、各係合溝５６に、切り欠き１４に臨む係合壁１２の部分が係合され、コネクタ部３０の接片３００２と電子機器側コネクタ部５８の接片５８０２とが接触する。
この際、係止爪６０が下面５２Ｄから離れることで係止爪６０が上方に突出して第２のバッテリー４の後面５２Ｂに係合し、第２のバッテリー４がバッテリー装着部５０に装着される。
これにより、第２のバッテリー４からの直流電源が電子機器の各部に供給される。
第２のバッテリー４を取り外す際には、係止爪６０を押し下げて第２のバッテリー４の後面１０Ｂから外した状態で、第２のバッテリー４を後方に移動させることで、第２のバッテリー４の係合壁１２の各切り欠き１４内に各係合部５４を位置させる。
次いで、第２のバッテリー４の後部を把持して収容凹部５２から上方に取り出す。
【００１９】
第１の実施の形態によれば、第１、第２のバッテリー２、４のケース１０の左右の側面１０Ｅ、１０Ｆにおけるケース１０の厚さ方向の中間部に、ケース１０の幅方向外方に突出しつつ上面１０Ｃ、下面１０Ｄに平行して前後方向に延在する係合壁１２を設けるとともに、左右の係合壁１２に切り欠き１４をそれぞれ設けた。
したがって、係合壁１２と切り欠き１４を利用することで、厚さの異なる第１、第２のバッテリー２、４を、収容あるいは装着形態の異なるバッテリー収容室４０とバッテリー装着部５２の双方に装着することができる。
また、従来と異なり第１、第２のバッテリー２、４のケース１０に内方に窪む係合凹部を必要としないため、ケース１０内においてケース１０の内面と電池セル２０との間に設けられていた従来のスペースを省略でき、ケース１０の小型化、薄型化を図る上で有利となる。
特に、本実施の形態のように、矩形板状を呈する電池セル２０をケース１０に収容する場合には、従来のようにケース１０の内面と電池セル２０の外面との間に前記係合凹部用のスペースを確保すると、ケース１０が極めて大型化するため、本発明は、矩形板状を呈する電池セル２０を用いたバッテリーに好適となる。
また、本実施の形態では、ケース１０の厚さ方向におけるコネクタ部３０の位置および係合壁１２の位置を下面１０Ｄを基準として決定したので、厚さの異なる第１、第２のバッテリー２、４を収容あるいは装着できるバッテリー収容室４０やバッテリー装着部５０を、下面１０Ｄあるいは係合壁１２を基準として簡単に設けることができる。
【００２０】
（第２の実施の形態）
次に第２の実施の形態について説明する。
第２の実施の形態では、左右の係合壁１２に設ける切り欠き１４がそれぞれ１つである点が第１の実施の形態と相違している。
図８（Ａ）は第２の実施の形態で用いる第１のバッテリー２の斜視図、（Ｂ）は（Ａ）の第１のバッテリー２を矢印Ｂ方向から見た斜視図である。
図９（Ａ）は第２の実施の形態で用いる第２のバッテリー４の斜視図、（Ｂ）は（Ａ）の第２のバッテリー４を矢印Ｂ方向から見た斜視図である。
図１０は第１、第２のバッテリー２、４を用いる電子機器の斜視図、図１１は電子機器のバッテリー装着部の斜視図、図１２は（Ａ）は第１のバッテリー２がバッテリー装着部５０に装着された状態を示す図、（Ｂ）は第２のバッテリー４がバッテリー装着部５０に装着された状態を示す図である。
【００２１】
図８、図９に示すように、第１、第２のバッテリー２、４は、第１の実施の形態と同様に、厚さが異なっている。
ケース１０の左右の側面１０Ｅ、１０Ｆには、第１の実施の形態と同様に係合壁１２がそれぞれ設けられている。
左右の係合壁１２には切り欠き１４がそれぞれ設けられ、第２の実施の形態では、第１の実施の形態と異なって、左右の係合壁１２に切り欠き１４が１つずつ設けられている。
左右の係合壁１２の切り欠き１４は、前後方向において同一の箇所に同一の形状で設けられている。
また、左右の係合壁１２の前後方向において同一の箇所である後端に、第１の実施の形態と同様に、厚さ方向に延在する逆挿防止用の係止壁１６が同一の形状で設けられている。
【００２２】
図８、図９に示すように、電池セル２０は、ケース１０よりも一回り小さい矩形板状を呈し、言い換えると、電池セル２０の断面は、ケース１０の内部に収容される大きさの矩形を呈し、第１の実施の形態と同様である。
コネクタ部３０は、第１の実施の形態と同様に、ケース１０の前面１０Ａに前方に臨んで設けられている。
第１、第２のバッテリー２、４が装着されるバッテリー収容室４０は第１の実施の形態と同様である。
【００２３】
第１、第２のバッテリー２、４が装着されるバッテリー装着部５０について説明すると、図１０に示すように、バッテリー装着部５０は電子機器１００（本実施の形態ではビデオカメラ装置）の筐体１０２に開放状に設けられるものである。
なお、図１０において符号１１０は、筐体１０２の前面に設けられ被写体像を捉える撮影光学系を保持する鏡筒、符号１１２は筐体１０２の側面に設けられ画像などを表示するディスプレイ、符号１１４は前記撮影光学系で撮影され筐体１０２内部に設けられた撮像素子で撮像された映像を視認するためのビューファインダー装置である。
【００２４】
図１０、図１１に示すように、バッテリー装着部５０は、電子機器の筐体１０２に設けられた内方に窪む収容凹部５２を備えている。
図１２（Ａ）、（Ｂ）に示すように、収容凹部５２は、第１のバッテリー２の下半部が収容される大きさ、深さで、また、第２のバッテリー４の下部が収容される大きさ、深さで形成されている。
図１０、図１１に示すように、収容凹部５２は、ケース１０の前面１０Ａ、上面１０Ｃ、左右の側面１０Ｅ、１０Ｆにそれぞれ臨む前面５２Ａ、下面５２Ｄ、左右の側面５２Ｅ、５２Ｆを有し、上方と後方が開放されている。
左右の側面５２Ｅ、５２Ｆに連なる上面１０４で後方寄りの箇所と前面５２Ａ寄りの箇所とに、それぞれ係合部５４が突設されている。
後方寄りの係合部５４は、切り欠き１４内を通過できる輪郭で形成されている。
各係合部５４は、収容凹部５２に臨む箇所と前方および後方に臨む箇所が開放された係合溝５６で形成されている。
係合溝５６は、係合壁１２が挿入されるように係合壁１２の肉厚よりも大きな寸法で形成されている。
【００２５】
図１１に示すように、電子機器側コネクタ部５８は前面５２Ａに設けられ、電子機器側コネクタ部５８は前面５２Ａの左右方向に間隔をおいて並べられた複数の接片５８０２を備えている。
第１、第２のバッテリー２、４がそれらの係合壁１２を左右の上面１０４に臨ませ、係合壁１２の切り欠き１４内に係合部５４を通過させて第１、第２のバッテリー２、４を収容凹部５２に近づけると、左右の係合壁１２が左右の上面１０４に載置される。ここで、第１、第２のバッテリー２、４を前面５２Ａ方向に移動させると、切り欠き１４に臨む係合壁１２の部分が係合溝５６に係合され、前面１０Ａ寄りに位置する係合壁１２の前端が、前方に位置する係合部５４の係合溝５６に係合される。
収容凹部５２の後端には、収容されたバッテリーを保持するための係止爪６０が出没可能に設けられ、係止爪６０はスプリングにより常時突出する方向に付勢されている。
【００２６】
次にバッテリーのバッテリー装着部５０への装着および取り出しについて説明する。
第１のバッテリー２または第２のバッテリー４をバッテリー装着部５０に装着する際には、バッテリー装着部５０の上方において、第１、第２のバッテリー２、４のケース１０の前面１０Ａ、上面１０Ｃ、左右の側面１０Ｅのそれぞれを収容凹部５２の前面５２Ａ、下面５２Ｄ、左右の側面５２Ｅ、５２Ｆのそれぞれに臨ませつつ、第１、第２のバッテリー２、４の係合壁１２の各切り欠き１４を各係合部５４に合致させる。
そして、各切り欠き１４内に各係合部５４を通過させて第１、第２のバッテリー２、４を下面５２Ｄ方向に移動すると、左右の係合壁１２が左右の上面１０４に載置され、第１のバッテリー２の下半部または第２のバッテリー４の下部が収容凹部５２に収容される。この際、係止爪６０は第１、第２のバッテリー２，４の側面５２Ｅに当て付けられることで側方に移動される。
この状態で、第１、第２のバッテリー２、４を前面５２Ａ方向に移動すると、各係合溝５６に、切り欠き１４に臨む係合壁１２の部分が係合され、コネクタ部３０の接片３００２と電子機器側コネクタ部５８の接片５８０２とが接触する。
この際、係止爪６０が側面１０Ｅから離れることで係止爪６０が側方に突出して第１のバッテリー２の後面５２Ｂに係合し、第１、第２のバッテリー２、４がバッテリー装着部５０に装着される。
これにより、第１、第２のバッテリー２、４からの直流電源が電子機器の各部に供給される。
【００２７】
なお、第２の実施の形態では、図１０、図１１に示すように、第１の実施の形態のような係止壁１６収容用の切り欠き５２０２をバッテリー装着部５０に設けておらず、したがって、係止壁１６が上面１０４から上方に突出した状態で第１、第２のバッテリー２、４が装着される。
また、第１の実施の形態とは上面１０Ｃ、下面１０Ｄを逆にして第１、第２のバッテリー２、４を装着するので、収容凹部５２の深さは図１２（Ａ）に示すように、第２のバッテリー４を装着した場合には、上面１０Ｃと下面５２Ｄとが近接し、第１のバッテリー２を装着した場合には、上面１０Ｃと下面５２Ｄとの間に、第１、第２のバッテリー２、４の厚さ差異に対応した空間が生じる。すなわち、第２の実施の形態のバッテリー装着部５０では、第１の実施の形態に比べ、第１、第２のバッテリー２、４が装着された状態で、バッテリー装着部５０の上面１０４からの突出高さが小さい寸法に抑えられている。
第１、第２のバッテリー２、４を取り外す際には、係止爪６０を押し下げて第１、第２のバッテリー２、４の後面１０Ｂから外した状態で、第１、第２のバッテリー２、４を後方に移動させることで、第１、第２のバッテリー２、４の係合壁１２の各切り欠き１４内に各係合部５４を位置させる。
次いで、第１、第２のバッテリー２、４の後部を把持して収容凹部５２から上方に取り出す。
【００２８】
第２の実施の形態によれば、第１の実施の形態と同様に、厚さの異なる第１、第２のバッテリー２、４を、収容あるいは装着形態の異なるバッテリー収容室４０とバッテリー装着部５２の双方に装着することができ、また、ケース１０の小型化、薄型化を図る上で有利となり、特に、矩形板状を呈する電池セル２０を用いたバッテリーに好適となる。
また、本実施の形態では、ケース１０の厚さ方向におけるコネクタ部３０の位置および係合壁１２の位置を下面１０Ｄを基準として決定したので、厚さの異なる第１、第２のバッテリー２、４を収容あるいは装着できるバッテリー収容室４０やバッテリー装着部５０を、下面１０Ｄあるいは係合壁１２を基準として簡単に設けることができる。
【００２９】
なお、実施の形態では、電子機器が撮像装置であった場合について説明したが、電子機器は撮像装置に限定されるものではなく、例えば、照明装置、オーディオ装置、通信装置、あるいは、バッテリー充電装置などバッテリーが装着されるものであれば適用可能であることはもちろんである。
【図面の簡単な説明】
【００３０】
【図１】（Ａ）は第１の実施の形態で用いる第１のバッテリー２の斜視図、（Ｂ）は（Ａ）の第１のバッテリー２を矢印Ｂ方向から見た斜視図である。
【図２】（Ａ）は第１の実施の形態で用いる第２のバッテリー４の斜視図、（Ｂ）は（Ａ）の第２のバッテリー４を矢印Ｂ方向から見た斜視図である。
【図３】バッテリー収容室４０の斜視図である。
【図４】バッテリー収容室４０の断面図である。
【図５】（Ａ）は第１のバッテリー２がバッテリー収容室４０に収容された状態を示す図、（Ｂ）は第２のバッテリー４がバッテリー収容室４０に収容された状態を示す図である。
【図６】バッテリー装着部の斜視図である。
【図７】（Ａ）は第１のバッテリー２がバッテリー装着部５０に装着された状態を示す図、（Ｂ）は第２のバッテリー４がバッテリー装着部５０に装着された状態を示す図である。
【図８】（Ａ）は第２の実施の形態で用いる第１のバッテリー２の斜視図、（Ｂ）は（Ａ）の第１のバッテリー２を矢印Ｂ方向から見た斜視図である。
【図９】（Ａ）は第２の実施の形態で用いる第２のバッテリー４の斜視図、（Ｂ）は（Ａ）の第２のバッテリー４を矢印Ｂ方向から見た斜視図である。
【図１０】第１、第２のバッテリー２、４を用いる電子機器の斜視図である。
【図１１】電子機器のバッテリー装着部の斜視図である。
【図１２】（Ａ）は第１のバッテリー２がバッテリー装着部５０に装着された状態を示す図、（Ｂ）は第２のバッテリー４がバッテリー装着部５０に装着された状態を示す図である。
【符号の説明】
【００３１】
２……第１のバッテリー、４……第２のバッテリー、１０……ケース、１０Ａ……前面、１０Ｂ……後面、１０Ｃ……上面、１０Ｄ……下面、１０Ｅ……左側面、１０Ｆ……右側面、左右の側面、１２……係合壁、１４……切り欠き、２０……電池セル、３０……コネクタ部。
【図１】
2006302693.tif 000003
【図２】
2006302693.tif 000004
【図３】
2006302693.tif 000005
【図４】
2006302693.tif 000006
【図５】
2006302693.tif 000007
【図６】
2006302693.tif 000008
【図７】
2006302693.tif 000009
【図８】
2006302693.tif 000010
【図９】
2006302693.tif 000011
【図１０】
2006302693.tif 000012
【図１１】
2006302693.tif 000013
【図１２】
2006302693.tif 000014